(57)【要約】      （修正有）【課題】断熱板を用いて熱伝導による熱移動を防止するだけではなく、夏季には外部からの熱線を反射し輻射による室内側への熱移動を防止し、冬季には外部からの熱線を吸収して断熱板の板面を加熱する等して室内側の温度低下を防ぐと共に、室内側の暖房器具等からの熱線を室内側に反射して暖房効率を向上できる断熱内窓及び断熱、内窓作成用キットを提供する。【解決手段】既設のガラス窓１０の室内側に設置される断熱内窓２０であって、断熱内窓は、発泡合成樹脂製の断熱板２１と、断熱板の下端および上端をそれぞれ支持する敷居２２と鴨居２３とから成り、断熱板の一方の板面は熱線を反射し易い板面２１ａに形成され、他方の板面は該熱線を反射し易い板面とは特性の異なる板面２１ｂに形成され、断熱板の室内側に向ける板面を変更できるように敷居と鴨居とにより支持されていることを特徴とする。【選択図】図１
0003184299.tif 000002
【実用新案登録請求の範囲】
【請求項１】
既設のガラス窓の室内側に設置される断熱内窓であって、該断熱内窓は、発泡合成樹脂製の断熱板と、該断熱板の下端および上端をそれぞれ支持する敷居と鴨居とから成り、上記断熱板の一方の板面は熱線を反射し易い板面に形成され、他方の板面は該熱線を反射し易い板面とは特性の異なる板面に形成され、該断熱板の室内側に向ける板面を変更できるように上記敷居と鴨居とにより支持されていることを特徴とする、断熱内窓。
【請求項２】
上記断熱板の一方の板面は、熱線反射性の高い素材で被覆することにより熱線を反射し易い板面に形成されていることを特徴する、請求項１に記載の断熱内窓。
【請求項３】
上記熱線反射性の高い素材が、アルミニウム箔或いはアルミニウム蒸着フィルムであることを特徴する、請求項２に記載の断熱内窓。
【請求項４】
上記他方の板面は、熱線を吸収し易い板面に形成されていることを特徴とする、請求項１〜３のいずれかに記載の断熱内窓。
【請求項５】
上記断熱板の他方の板面は、熱線吸収性の高い素材で被覆することにより熱線を吸収し易い板面に形成されていることを特徴とする、請求項４に記載の断熱内窓。
【請求項６】
上記断熱板の他方の板面は、上記熱線を反射し易い板面とは異なる色の板面に形成されていることを特徴とする、請求項１〜５のいずれかに記載の断熱内窓。
【請求項７】
上記断熱板の他方の板面は、アルミニウム箔或いはアルミニウム蒸着フィルムが被覆され、その表面が上記熱線を反射し易い板面とは異なる色の板面に形成されていることを特徴とする、請求項１〜５のいずれかに記載の断熱内窓。
【請求項８】
上記断熱板が、熱可塑性樹脂発泡粒子成形体製であることを特徴とする、請求項１〜７のいずれかに記載の断熱内窓。
【請求項９】
上記断熱板が、難燃性あるいは不燃性の発泡合成樹脂製断熱板であることを特徴とする、請求項１〜８のいずれかに記載の断熱内窓。
【請求項１０】
上記断熱板が、上記敷居と鴨居とに摺動可能に支持されていることを特徴とする、請求項１〜９のいずれかに記載の断熱内窓。
【請求項１１】
上記断熱板の板面に、採光が取れる透明或いは半透明の引き手が設けられていることを特徴とする、請求項１〜１０のいずれかに記載の断熱内窓。
【請求項１２】
請求項１〜１１のいずれかに記載の断熱内窓を作成する断熱内窓作成用キットであって、少なくとも、上記断熱板と、前記断熱板の下端および上端をそれぞれ支持する敷居と鴨居とから成ることを特徴とする、断熱内窓作成用キット。
【考案の詳細な説明】
【技術分野】
【０００１】
本考案は、ガラス窓に後付けで設置する断熱内窓及び該断熱内窓作成用キットに関するものである。
【背景技術】
【０００２】
冬に暖房をしているとき、建物から出入りする熱の割合は、おおよそ、屋根が１２％、床が９％、外壁部が１６％、換気が１２％、そして窓等の開口部が３７％と見積もられている。夏に冷房しているときは、屋根が９％、床が３％、外壁部が７％、換気が２８％、そして窓等の開口部が５３％と見積もられている。このように、窓等の開口部からの熱の出入りが大きな比重を占めている。
【０００３】
これに対処して、断熱改修でガラス窓の室内側にもう一枚のガラス窓を設けることが行われている。しかし、二枚のガラス間に空気層を作るこの二枚ガラス式断熱は、投資費用の割には、断熱効果が得られていないのが実情である。実際、内窓サッシを設けても、相変わらず結露するという苦情がある。
【０００４】
特許文献１（実用新案登録第３１７５０７４号公報）には、安価にできる断熱改修として、発泡合成樹脂で形成された断熱枠と、該断熱枠内に開閉可能に取り付けられる２枚の発泡合成樹脂で形成された断熱板とからなる、ガラス窓用断熱部材が提案されている。
【先行技術文献】
【特許文献】
【０００５】
【特許文献１】実用新案登録第３１７５０７４号公報
【考案の概要】
【考案が解決しようとする課題】
【０００６】
ところで、夏季において外から窓を介して屋内に流れ込む熱エネルギーは、熱伝導や対流によるものよりも、輻射の形式による熱移動の割合が多い。これ故、夏季には熱線の室内側への進入を遮断することが重要となるが、特許文献１のガラス窓用断熱部材においては、このことが十分に考慮されておらず、改善の余地を残す断熱技術であった。
【０００７】
本考案は、上述した背景技術が有する実状に鑑みなされたものであって、その目的は、断熱板を用いて熱移動を防止するだけではなく、夏季等には外部からの熱線を反射し輻射による室内側への熱移動を積極的に防止し、冬季等には室内側の暖房器具等からの熱線を室内側に反射して暖房効率を向上できる断熱内窓を提案することにある。
【課題を解決するための手段】
【０００８】
上記した目的を達成するため、本考案は、次の〔１〕〜〔１２〕に記載した断熱内窓及び断熱内窓作成用キットとした。
〔１〕既設のガラス窓の室内側に設置される断熱内窓であって、該断熱内窓は、発泡合成樹脂製の断熱板と、該断熱板の下端および上端をそれぞれ支持する敷居と鴨居とから成り、上記断熱板の一方の板面は熱線を反射し易い板面に形成され、他方の板面は該熱線を反射し易い板面とは特性の異なる板面に形成され、該断熱板の室内側に向ける板面を変更できるように上記敷居と鴨居とにより支持されていることを特徴とする、断熱内窓。
〔２〕上記断熱板の一方の板面は、熱線反射性の高い素材で被覆することにより熱線を反射し易い板面に形成されていることを特徴する、上記〔１〕に記載の断熱内窓。
〔３〕上記熱線反射性の高い素材が、アルミニウム箔或いはアルミニウム蒸着フィルムであることを特徴する、上記〔２〕に記載の断熱内窓。
〔４〕上記他方の板面は、熱線を吸収し易い板面に形成されていることを特徴とする、上記〔１〕〜〔３〕のいずれかに記載の断熱内窓。
〔５〕上記断熱板の他方の板面は、熱線吸収性の高い素材で被覆することにより熱線を吸収し易い板面に形成されていることを特徴とする、上記〔４〕に記載の断熱内窓。
〔６〕上記断熱板の他方の板面は、上記熱線を反射し易い板面とは異なる色の板面に形成されていることを特徴とする、上記〔１〕〜〔５〕のいずれかに記載の断熱内窓。
〔７〕上記断熱板の他方の板面は、アルミニウム箔或いはアルミニウム蒸着フィルムが被覆され、その表面が上記熱線を反射し易い板面とは異なる色の板面に形成されていることを特徴とする、上記〔１〕〜〔５〕のいずれかに記載の断熱内窓。
〔８〕上記断熱板が、熱可塑性樹脂発泡粒子成形体製であることを特徴とする、上記〔１〕〜〔７〕のいずれかに記載の断熱内窓。
〔９〕上記断熱板が、難燃性あるいは不燃性の発泡合成樹脂製断熱板であることを特徴とする、上記〔１〕〜〔８〕のいずれかに記載の断熱内窓。
〔１０〕上記断熱板が、上記敷居と鴨居とに摺動可能に支持されていることを特徴とする、上記〔１〕〜〔９〕のいずれかに記載の断熱内窓。
〔１１〕上記断熱板の板面に、採光が取れる透明或いは半透明の引き手が設けられていることを特徴とする、上記〔１〕〜〔１０〕のいずれかに記載の断熱内窓。
〔１２〕上記〔１〕〜〔１１〕のいずれかに記載の断熱内窓を作成する断熱内窓作成用キットであって、少なくとも、上記断熱板と、前記断熱板の下端および上端をそれぞれ支持する敷居と鴨居とから成ることを特徴とする、断熱内窓作成用キット。
【考案の効果】
【０００９】
上記した本考案に係る断熱内窓は、発泡合成樹脂製の断熱板により熱移動を防止できるだけではなく、屋内の冷房が必要な時期には断熱板の熱線を反射し易い板面を屋外側に向けることにより、屋外からの熱線を反射し、輻射による熱移動を積極的に防止して室内の温度上昇を抑えることができ、屋内の暖房が必要な時期には熱線を反射し易い板面を室内側に向けることにより、室内の暖房器具からの遠赤外線等の熱線を反射し、輻射熱により体感温度を上昇させ、暖房効率の向上を図ることができる。
【図面の簡単な説明】
【００１０】
【図１】本考案に係る断熱内窓の夏季と冬季における配置とその作用を説明するための図であって、（ａ）は既設のガラス窓の概念的立面断面図、（ｂ）は本考案に係る断熱内窓の夏季における配置を示す概念的立面断面図、（ｃ）は本考案に係る断熱内窓の冬季における配置を示す概念的立面断面図である。
【図２】本考案に係る断熱内窓を２枚の断熱板で構成した場合の図であって、（ａ）はその概念的立面断面図、（ｂ）はその概念的平面断面図である。
【図３】敷居および鴨居の第２の実施形態と係合している断熱板を示す概念的立面断面図である。
【図４】断熱板に設けられる採光型の引き手を示した図であって、（ａ）はその分解斜視図、（ｂ）はその断面図である。
【考案を実施するための形態】
【００１１】
図１（ａ）は、一般的な従来のガラス窓１の概念的立面断面図である。このガラス窓１においては、ガラス２が嵌めこまれた窓枠３は、下端は敷居４で支持され、上端は鴨居５で支持されている。敷居４と鴨居５は、建物６に固定されている。このような構造のガラス窓１では、室内の空気と屋外の空気が薄いガラス２を隔てて接触している。この結果、夏季や冬季においては、室内と屋外の気温差が大きいので、ガラス内の熱伝導によって熱エネルギーの大きな流れが生じる。
【００１２】
また、窓枠３を摺動可能とするために、窓枠３と敷居４の間および窓枠３と鴨居５の間には狭い隙間（図示せず）が存在する。この結果、僅かではあるが、その隙間を通って室内と屋外の間で空気の流れａが起こる。すなわち、夏季には屋外から室内に流入する高温の空気が室内温度を上昇させ、冬季には暖かい空気が室内から屋外に流れて室内温度が低下する。
【００１３】
通常、ガラス窓１のガラス２は熱線を通過させる。この結果、夏季においては屋外から熱線ｂがガラス２を通って室内に到達し、輻射熱により室内温度を上昇させる。冬季においては、室内の暖房器具が遠赤外線等の熱線を発生させるタイプのものである場合、その暖房器具からの熱線ｃもガラス２を通って屋外に流出し、熱線を発生させるタイプ以外の暖房器具を使用する場合でも、暖められた内壁、家具等の物品からの熱線ｃもガラス２を通って屋外に流出し、暖房効率が低下する。また、ガラス素材として熱線遮断ガラスも使用されているが、夏季においてガラス板自体が高温になり、その輻射熱により室内温度を上昇させる。また、従来のガラス窓の構造は、冬季において屋内外の温度差により結露量も多いものである。
なお熱線とは、近赤外線、中赤外線、遠赤外線（例えば、８００〜３０００ｎｍ程度の波長域の光）をいい、一部の可視光も含まれる。
【００１４】
このように一般的な従来のガラス窓１では、窓部の熱伝導、窓枠３と敷居４および鴨居５との間の隙間を通る空気の流れａ、およびガラスを通過する熱線ｂ，ｃ等によって、夏季の冷房効率、および冬季の暖房効率が悪い。
【００１５】
図１（ｂ）と（ｃ）は、本考案に係る断熱内窓の夏季および冬季における配置をそれぞれ示す概念的立面断面図である。図１（ｂ）と（ｃ）において、既設のガラス窓の部材には（ａ）における対応する部材の参照番号を付することにより既設のガラス窓１０の部分についての説明は省略する。このことは、さらに後に説明する実施形態においても同様とする。本考案に係る断熱内窓２０は、既設のガラス窓１０の室内側に後付けで設けることができる。
【００１６】
本考案に係る断熱内窓２０は、発泡合成樹脂製の断熱板２１を備える。この断熱板２１の一方の板面は、熱線を反射し易い板面２１ａに形成され、他方の板面は、該熱線を反射し易い板面とは特性の異なる板面に形成されている。具体的な他方の板面としては、機能的に好ましくは熱線を吸収し易い板面２１ｂに、意匠的に好ましくは該熱線を反射し易い板面とは異なる色の板面に、或いは、コスト的に好ましくは断熱板がそのまま露出している形態が挙げられる。この断熱板２１の構成については、後に詳述する。
【００１７】
本考案に係る断熱内窓２０は、既設のガラス窓１０の室内側において建物６に敷居２２と鴨居２３を取り付け、上記断熱板２１の下端と上端をそれぞれ敷居２２と鴨居２３に支持させることにより建物６に取り付けられる。
なお、この実施形態では、敷居２２と鴨居２３は、断熱板２１の下端面中央部、上端面中央部にそれぞれ形成されたスリット２１ｃ，２１ｃと係合する板状部材として実現されている。
【００１８】
夏季においては図１（ｂ）に示すように、熱線を反射し易い板面２１ａが屋外（ガラス窓側）に面し、他方の板面は該熱線を反射し易い板面とは特性の異なる板面として、例えば、熱線を吸収し易い板面２１ｂが室内に面するように断熱板２１が配置される。他方、冬季においては図１（ｃ）に示すように、熱線を反射し易い板面２１ａが室内に面し、例えば、熱線を吸収し易い板面２１ｂが屋外に面するように断熱板２１が配置される。
【００１９】
既設のガラス窓１０は屋外の外気と接触しており、かつ敷居４と鴨居５の間に狭い隙間があるので空気の出入りがある。その結果、ガラス２と断熱内窓２０の間に画成される中間空間Ａの中では空気の対流も起こる。しかし、中間空間Ａと室内は、熱伝導率の低い発泡合成樹脂製の断熱板２１で熱的に遮断されているので、熱エネルギーの室内への流入は少ない。また対流による熱エネルギーの中間空間Ａから室内への流入も少なくすることができる。例えば発泡合成樹脂製の断熱板２１の弾性を利用して、断熱板２１と敷居２２および断熱板２１と鴨居２３を密着させて空気の出入りを少なくすることが容易にできる。
【００２０】
夏季には、熱線を反射し易い板面２１ａが屋外に面するように断熱板２１が配置されるので、夏季の屋外からの熱線（主に太陽Ｓからの熱線）ｂがガラス２を透過しても、断熱板２１の熱線を反射し易い板面２１ａで反射されてしまい、輻射による熱エネルギーの室内への流入を阻止できる。
【００２１】
冬季には、熱線を反射し易い板面２１ａが室内に面するように断熱板２１が配置されるので、暖房器具Ｄ等からの遠赤外線等の熱線ｃは該断熱板２１の熱線を反射し易い板面２１ａで反射され、輻射により室内おける体感温度を上昇させ、暖房効率の向上を図ることができる。また、図１（ｃ）に示す好ましい態様のものは、断熱板２１の熱線を吸収し易い板面２１ｂは屋外に面することとなるので、日が射していると、熱線を吸収し易い板面２１ｂが太陽光の熱線ｂを吸収し蓄熱する。その結果、断熱板の室外に向かう面の温度が高くなり、これは、中間空間Ａの温度を上昇させ、左右にスライドさせることにより開閉可能に２枚の断熱板が設けられている後述する図２のタイプの断熱内窓においては、冬季、日中、日差しの強い日には、断熱板を少し開けることにより、室温を上昇させる方向に作用し、効率的に自然エネルギーを室温調節に利用できる。
【００２２】
このように本考案に係る断熱内窓２０は、季節に応じて断熱板２１を反転させてガラス窓１０の室内側に配置することにより、夏季の冷房効果、冬季の暖房効果を飛躍的に向上させることができる。
【００２３】
本考案に係る断熱内窓２０は、一枚の断熱板で構成することも可能であるが、複数の断熱板で構成することもできる。図２は、本考案に係る断熱内窓３０を、２枚の断熱板３１，３２で構成した場合の図であって、（ａ）はその概念的立面断面図、（ｂ）はその概念的平面断面図である。
【００２４】
２枚の断熱板３１，３２は、それぞれ敷居３３と鴨居３４とにより、ガラス窓１０の室内側に摺動可能に支持されている。図２においても、敷居３３と鴨居３４は、それぞれの断熱板３１，３２の下端面中央部、上端面中央部にそれぞれ形成されたスリット３１ｃ，３２ｃと係合する板状部材として実現されている。２枚の断熱板３１，３２は、それぞれ一方の板面は熱線を反射し易い板面３１ａ，３２ａに形成され、他方の板面は、好ましい例として、熱線を吸収し易い板面３１ｂ，３２ｂに形成されている。そして、夏季において、図１（ｂ）にて説明したのと同様の効果が発現される。また、冬季においても、図１（ｃ）にて説明したのと同様の効果が発現される。さらに、この実施形態の場合には、時節、断熱板３１，３２を敷居３３と鴨居３４とに沿って摺動させて開放し、換気、採光等を行うことができる。
【００２５】
図１および図２において敷居と鴨居は、断熱板の上下端面中央部にそれぞれ形成されたスリットと係合する板状部材として実現されているが、２枚の板状部材の間に断熱板を挟持する形式でも実現することがでる。図３は、この第２の実施形態に係る敷居と鴨居とに係合している断熱板を示す概念的立面断面図である。
【００２６】
第２の実施形態に係る敷居４１は、２枚の断熱板３１，３２の下端をそれぞれ支持するためのものであり、断面が略Ｅ字形を呈し、３枚の板状部材４１ａ，４１ｂ，４１ｃを備えている。図３は、板状部材４１ａと４１ｂの間に断熱板３１の下端を挟持し、板状部材４１ｂと４１ｃの間に断熱板３２の下端を挟持する状態を示す。また、鴨居４２の第２の実施形態も同様に断面が略Ｅ字形の部材であり、３枚の板状部材４２ａ，４２ｂ，４２ｃを備えている。そして、板状部材４２ａと４２ｂの間に断熱板３１の上端を挟持し、板状部材４２ｂと４２ｃの間に断熱板３２の上端を挟持することにより、２枚の断熱板３１，３２の上端を支持している。
この第２の実施形態に係る敷居４１と鴨居４２とによれば、断熱板の上下端面にスリットを形成する必要がなく、また断熱板の下端および上端とを覆う状態で支持するものであるので、断熱板の欠け、割れ等の損傷を防止することができることから耐久性に優れ、敷居や鴨居の隙間からの空気の流れも更に低減できることから、気密性にも優れるものとなる。
【００２７】
本考案においては、断熱板を摺動させるために引き手を設けることもできる。図４（ａ）は、断熱板に採光型引き手を設ける一例の分解斜視図、（ｂ）はその断面図である。引き手５０は、２つの引き手部材５１，５２から成る。断熱板３１に円形の穴３１ｄを設け、該断熱板の穴３１ｄの一方から第１の引き手部材５１を挿入し、他方から第２の引き手部材５２を挿入し、第２の引き手部材５２を第１の引き手部材５１に嵌入させて固定する。この実施形態では、第１の引き手部材５１は第１の円筒部５１ａを有し、第２の引き手部材５２は第２の円筒部５２ａを有し、第１の円筒部５１ａの内径と第２の円筒部５２ａの外径がほぼ等しく設計され、挿入することにより両者がピッタリと合って係合する。第１の円筒部５１ａには中間に隔壁５１ｂが形成され、第２の円筒部５２ａの先端は天壁５２ｂによって閉じている。そして第１の引き手部材５１と第２の引き手部材５２が係合すると、隔壁５１ｂと天壁５２ｂと第１の円筒部５１ａによって閉空間Ｂが画成される。この閉空間Ｂの存在によって、引き手５０の断熱性が確保され、断熱板３１の断熱性を大きく阻害することなく取り付けることができる。また、引き手５０を構成する第１と第２の引き手部材５１，５２を透明または半透明の素材で形成することにより、該引き手５０から採光を採りいれることができ、屋外の明るさを室内から観察することができる。
【００２８】
本考案に係る断熱内窓は、既設のガラス窓の室内側に後付けで設ける断熱内窓を作るための作成用キットの形式で販売することも可能である。その場合、断熱内窓作成用キットは、一方の板面は熱線を反射し易い板面に形成され、他方の板面は該熱線を反射し易い板面とは特性の異なる板面に形成された発泡合成樹脂製の断熱板と、前記断熱板の下端および上端をそれぞれ支持する合成樹脂製の敷居と鴨居とから構成される。更に、断熱内窓作成用キットとしては、他方の板面を、熱線を吸収し易い板面や該熱線を反射し易い板面とは異なる色の板面としたもの、前記断熱板の板面に取り付けられる透明或いは半透明の引き手を含むものが好ましい。
【００２９】
本考案に係る断熱内窓には外力がほとんどかからないので、敷居と鴨居を建物に固定するためには、両面接着テープ等の弱い接着力で十分である。また、通常のビス止めを採用することもできる。そのため、接着テープを断熱内窓作成用キットに含めることは好ましい。また、断熱内窓作成用キットの形式で販売する場合には、例えば５ｍｍ刻みで発泡合成樹脂製の断熱板の縦方向と横方向の端面付近に端面と平行な複数の印線を予め形成しておくことは好ましい。この場合には、既設のガラス窓の高さと幅に応じて、断熱板の高さと幅を容易に調整することができる。
【００３０】
上記した本考案に係る断熱内窓に用いる断熱板を構成する合成樹脂発泡体としては、断熱性の観点から独立気泡構造の合成樹脂発泡体が好ましく用いられる。具体的には、ポリスチレン系発泡体、ポリエチレン系発泡体、ポリプロピレン系発泡体、ポリウレタン系発泡体、フェノール樹脂系発泡体等を用いることができる。これらの中でも、吸水性が低く、断熱性に優れることから、ポリスチレン系の発泡体が好ましい。さらには、黒鉛粉を含有するポリスチレン系発泡体（例えば、特許第４２４５９７３号）、アルミニウム粉を含有するポリスチレン系発泡体（例えば、特許第４２７１９９９号、特許第４３１６３０５号）は、特に断熱性に優れていると共に、寸法安定性に優れているために特に好ましい。また、上記合成樹脂発泡体としては、押出発泡体や発泡粒子成形体等を用いることができ、特に寸法安定性の観点からは発泡粒子成形体が好ましい。また、上記合成樹脂発泡体の密度は、０．０１０５  〜０．１０５ｇ／ｃｍ3が好ましく、更に０．０１５〜０．０５２５ｇ／ｃｍ3が好ましい。また、上記合成樹脂発泡体の厚みは、５〜４０ｍｍが好ましく、更に１０〜３０ｍｍが好ましい。
【００３１】
また、本考案に係る断熱内窓に用いる断熱板は、建材として用いることから自己消火性難燃性、あるいは不燃性を有するなどの耐火性能に優れていることが好ましい。上記合成樹脂発泡体に耐火性能を付与するには、該発泡体の基材樹脂に難燃性付与剤を含有させて難燃性合成樹脂発泡体とすることが好ましい。基材樹脂に配合される難燃性付与剤としては、例えば、ヘキサブロモシクロドデカン、２，４，６−トリブロモフェニルアリルエーテル、臭素化ビスフェノールＡ、臭素化ビスフェノールＡアリルエーテル、臭素化ビスフェノールＡアルキルアリルエーテル、臭素化ビスフェノールＳ、臭素化ＳＢＳ、ハロゲン化燐酸エステルなどのハロゲン系難燃剤、赤燐、ポリ燐酸アンモニウム、フォスファゼン、トリフェニルフォスフェートなどの鱗系難燃剤やジフェニルアルカン、ジフェニルアルケン、三酸化アンチモン、イソシアヌル酸、トリアリルイソシアヌレート、メラミン、メラム、メレムなどの難燃助剤等が例示される。これらの難燃性付与剤は、ポリスチレン系発泡体を構成する樹脂１００重量部に対して、０．５〜１５重量部の範囲で含有される。
なお、本考案において、難燃性とは、ＪＩＳ Ａ ９５１１（１９９５）の燃焼試験（測定方法Ａ）に合格する難燃性である。即ち、３秒以内に消火し残塵がなく、燃焼限界指示線を越えて燃焼しないことを指す。
【００３２】
本考案において用いる断熱板は、一方の板面は熱線を反射し易い板面に形成されている。この熱線を反射し易い板面は、断熱板の一方の板面に、熱線反射剤を含有させる、熱線反射剤を含有した塗膜を形成する、反射率の高い金属薄膜等で被覆する等の方法で形成することができる。
【００３３】
熱線反射剤としては、近赤外または赤外領域（例えば、８００〜３０００ｎｍ程度の波長域）の光を反射・散乱する物質であれば、特に限定されず、具体的には、アルミニウム、酸化アルミニウム等のアルミニウム系化合物、アルミン酸亜鉛等の亜鉛系化合物；ハイドロタルサイト等のマグネシウム系化合物；銀等の銀系化合物：チタン、酸化チタン、チタン酸ストロンチウム等のチタン系化合物；ステンレス、ニッケル、錫、銀、銅、ブロンズ、シラスバルーン、セラミックバルーン、マイクロバルーン、パールマイカ等が挙げられる。これらは、単独で用いても２種以上併用してもよい。
また、反射率の高い金属薄膜としては、アルミニウム、金、銀、インジウム、銅などの箔、蒸着フィルムが挙げられる。これらの中でも、波長４μｍの遠赤外線の反射率が９９％と高いアルミニウムの箔や蒸着フィルムが好ましい。
【００３４】
本考案において用いる断熱板は、他方の板面は該熱線を反射し易い板面とは特性の異なる板面に形成される。該特性の異なる板面の具体例としては、他方の板面が、上記熱線を反射し易い板面とは異なる色（例えば、木目模様、デザイン柄、彩度や明度の異なる着色面など）の板面に形成されているもの、熱線を吸収し易い板面に形成されているもの等が挙げられる。
【００３５】
また、本考案において用いる断熱板は、他方の板面は、好ましい態様として、熱線を吸収し易い板面に形成されている。この熱線を吸収し易い板面は、断熱板の他方の板面に、熱線吸収剤を含浸させる、熱線吸収剤を含有した塗膜を形成する等の方法で形成することができる。
【００３６】
熱線吸収剤としては、近赤外または赤外領域（例えば、８００〜３０００ｎｍ程度の波長域）の光を吸収する物質であれば、特に限定されず、具体的には、カーボンブラック、炭素粉末；硫酸バリウム、硫酸ストロンチウム、硫酸カルシウム、メルカライト、ハロトリ石、ミョウバン石、鉄ミョウバン石等の硫酸金属塩；三酸化アンチモン、酸化アンチモン、無水アンチモン酸亜鉛等のアンチモン系化合物；酸化錫、酸化インジウム、酸化亜鉛、酸化インジニウム錫、等の金属酸化物；アンモニウム系、尿素系、イモニウム系、アミニウム系、シアニン系、ポリメチン系、アントラキノン系、ジチオール系、銅イオン系、フェニレンジアミン系、フタロシアニン系、ベンゾトリアゾール系、ベンゾフェノン系、シュウ酸アニリド系、シアノアクリレート系、ベンゾトリアゾール系等の有機染顔料；等を挙げることができる。これらは、単独で用いても２種以上併用してもよい。
【００３７】
本考案において用いる断熱板の好ましい実施形態としては、断熱板の両板面が、共にアルミニウム箔或いはアルミニウム蒸着フィルムで被覆され、一方の板面は、このアルミニウム箔或いはアルミニウム蒸着フィルムで被覆されることによって、熱線を反射し易い板面に形成され、他方の板面は、アルミニウム箔或いはアルミニウム蒸着フィルムの表面に更に熱線吸収剤を含有した塗膜、好ましくはカーボンブラック等を含む濃い色の着色塗膜が形成されることによって、熱線を吸収し易い板面に形成されたものである。このような断熱板は、前述した効果を容易に付加できることに加えて、反りなど発生し難く、また強度的に優れたものとなるために好ましい。
【００３８】
また、本考案において用いる敷居と鴨居の材質は、熱伝導率が低いものが好ましい。すなわち、アルミニウム等の金属ではなく、塩化ビニール等の合成樹脂が好ましい。
【００３９】
以上、本考案に係る断熱内窓の実施形態を説明したが、本考案は、何らそれらの実施形態に限定されるものではなく、実用新案登録請求の範囲に記載した本考案の技術的思想の範囲内において、種々の変形及び変更が可能であることは当然である。
【産業上の利用可能性】
【００４０】
本考案に係る断熱内窓によれば、夏季における冷房効率、冬季における暖房効率の改善により、エネルギー消費量・電力消費量を少なくし、エネルギー資源の有効活用を図ることができることから、既設住宅のガラス窓の断熱改修技術として、広く利用すべき技術である。
【符号の説明】
【００４１】
１    ガラス窓
２    ガラス
３    窓枠
４    敷居
５    鴨居
６    建物
１０    ガラス窓
２０    断熱内窓
２１    断熱板
２１ａ    熱線を反射し易い板面
２１ｂ    熱線を吸収し易い板面
２１ｃ    スリット
２２    敷居
２３    鴨居
３０    断熱内窓
３１    断熱板
３１ａ    熱線を反射し易い板面
３１ｂ    熱線を吸収し易い板面
３１ｃ    スリット
３１ｄ    穴
３２    断熱板
３２ａ    熱線を反射し易い板面
３２ｂ    熱線を吸収し易い板面
３２ｃ    スリット
３３    敷居
３４    鴨居
４１    敷居
４１ａ，４１ｂ，４１ｃ    板状部材
４２    鴨居
４２ａ，４２ｂ，４２ｃ    板状部材
５０    引き手
５１    第１の引き手部材
５１ａ    円筒部
５１ｂ    隔壁
５２    第２の引き手部材
５２ａ    円筒部
５２ｂ    天壁
ａ    空気の流れ
ｂ    太陽光等の熱線
ｃ    暖房器具等からの熱線
Ａ    中間空間
Ｂ    閉空間
Ｓ    太陽
Ｄ    暖房器具
【図１】
0003184299.tif 000003
【図２】
0003184299.tif 000004
【図３】
0003184299.tif 000005
【図４】
0003184299.tif 000006